(57)【要約】【課題】ディンプル式のシリンダー錠装置において、鍵の抜き差しが円滑になるよう回転筒を姿勢保持する保持手段を設ける構成でありながら、コンパクト化を損なわないように構成する。【解決手段】シリンダー錠装置Ｓを構成する固定筒１７の屋内側筒端部に凹部１７ｇを形成し、該凹部１７ｇに、樹脂材で形成され、回転筒１６の径方向に弾性変形可能なリング状の弾性変形部２１ｂと、係止突部２１ｅとを備えた保持部材２１を回り止め状、かつ、抜止め状に設けて、回転筒１６が解錠姿勢、施錠姿勢に変姿することに伴い、前記係止突部２１ｅが回転筒１６外周面に形成された係止凹部１６ｄに係止する構成とする。【選択図】図５
2009203722.tif 000002
【特許請求の範囲】
【請求項１】
開閉体に固定される固定筒と、該固定筒に相対回転自在に内嵌され、鍵孔が形成される回転筒とを備え、前記鍵孔に対応する鍵を挿入することで固定筒と回転筒とに連通状に配設されたロックピンによる係止解除がなされ、回転筒の施錠姿勢と解錠姿勢との回転変姿が許容されるシリンダー錠装置において、前記固定筒に、回転筒を施錠姿勢と解錠姿勢とに姿勢保持する保持手段を設けるにあたり、前記保持手段は、固定筒の一方の筒端面に形成した凹部に設けられているシリンダー錠装置。
【請求項２】
保持手段は、回転筒の径方向に弾性変形可能なリング状の弾性変形部と、回転筒の外周面に形成された係止凹部に係脱自在に係止する係止突部とを備えた保持部材により構成されている請求項１に記載のシリンダー錠装置。
【請求項３】
保持部材は、弾性変形部に弾性変形促進部が形成されている請求項２に記載のシリンダー錠装置。
【請求項４】
保持部材は、凹部に回り止め状に収容されている請求項２または３に記載のシリンダー錠装置。
【請求項５】
保持手段は、固定筒の一方の筒端部が固定される支持プレートにより抜止めされるように構成されている請求項１乃至４の何れか１項に記載のシリンダー錠装置。
【発明の詳細な説明】
【技術分野】
【０００１】
本発明は、建築物に設けた開閉体を施錠するような場合に用いられるシリンダー錠装置の技術分野に属するものである。
【背景技術】
【０００２】
一般に、建築物の開閉体を躯体に施錠する場合に用いられるシリンダー錠装置のなかには、開閉体に固定される固定筒と、該固定筒に相対回転自在に内嵌され、鍵孔が形成される回転筒とを備え、前記鍵孔に対応する鍵を挿入することで、固定筒と回転筒とに連通状に配設された分割可能なロックピンが分割されることにより係止解除がなされ、回転筒の施錠姿勢と解錠姿勢との回転変姿を許容するようにしたものが知られている。このようなものにおいて、固定筒と回転筒とには、それぞれロックピンを出没自在に内装するロックピン収容室が連通状に形成されているが、これら固定筒と回転筒とに形成されるロックピン収容室同士は、ロックピンに対して僅かな遊びを存して収容されている。このため、固定筒と回転筒とは、施錠、解錠の各姿勢となっている状態において僅かに周回り方向の位置ズレが生じていることがあり、このようになると、ロックピンの分割部が固定筒と回転筒との間の段差に引っかかった状態となり、鍵孔に対して抜き差しする鍵が円滑に抜き差し操作できなくなることがあり問題があった。
【０００３】
この改善策として、固定筒に対して回転筒が施錠、解錠姿勢になった状態で、前記姿勢を弾圧状に保持する保持手段を設けることが提唱されており、例えば、回転筒の筒軸方向中間部に径方向を向く貫通孔を形成し、該貫通孔に係止ボールと、該係止ボールを外径側に付勢する付勢弾機とを収容する一方、固定筒の内周面に、回転筒の施錠、解錠姿勢において前記係止ボールに対向する部位に位置して凹部をそれぞれ形成し、回転筒が施錠または解錠姿勢となることに伴い、係止ボールが凹部に落ち込んで回転筒を各姿勢に保持をするようにしたものが提唱されている。
【特許文献１】特開２０００−１６０８８６号公報
【特許文献２】特開２００７−２３９３２４号公報
【発明の開示】
【発明が解決しようとする課題】
【０００４】
ところで、近年、ピッキングによる不法解錠が横行していることが社会問題となっており、この対策として、ピッキングでの解錠が難しいうえ複製しにくいシリンダー錠としてディンプルキーを採用することが提唱されている。そして、ディンプルキーに一層高い防犯性を付与するためには、固定筒と回転筒との間に形成されるロックピンの数を増やしたり、ロックピンの配設方向を径方向複数にすること等が考えられる。しかるに、このようにロックピンの配設方向が複数となるものに対し、前記従来の保持手段を設けようとした場合では、ロックピンの配設スペースを邪魔することなく保持手段を設ける必要があるため、保持手段を設けるスペースを別途確保しなければならず、固定筒、回転筒の筒軸方向の全長が長くなり、シリンダー錠装置のコンパクト化を損なうという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、開閉体に固定される固定筒と、該固定筒に相対回転自在に内嵌され、鍵孔が形成される回転筒とを備え、前記鍵孔に対応する鍵を挿入することで固定筒と回転筒とに連通状に配設されたロックピンによる係止解除がなされ、回転筒の施錠姿勢と解錠姿勢との回転変姿が許容されるシリンダー錠装置において、前記固定筒に、回転筒を施錠姿勢と解錠姿勢とに姿勢保持する保持手段を設けるにあたり、前記保持手段は、固定筒の一方の筒端面に形成した凹部に設けられているシリンダー錠装置である。
請求項２の発明は、保持手段は、回転筒の径方向に弾性変形可能なリング状の弾性変形部と、回転筒の外周面に形成された係止凹部に係脱自在に係止する係止突部とを備えた保持部材により構成されている請求項１に記載のシリンダー錠装置である。
請求項３の発明は、保持部材は、弾性変形部に弾性変形促進部が形成されている請求項２に記載のシリンダー錠装置である。
請求項４の発明は、保持部材は、凹部に回り止め状に収容されている請求項２または３に記載のシリンダー錠装置である。
請求項５の発明は、保持手段は、固定筒の一方の筒端部が固定される支持プレートにより抜止めされるように構成されている請求項１乃至４の何れか１項に記載のシリンダー錠装置である。
【発明の効果】
【０００６】
請求項１の発明とすることにより、保持手段の配設スペースを確保するため回転筒と固定筒との筒軸方向の長さを長くする必要がなく、シリンダー錠装置のコンパクト化を図ることができる。
請求項２の発明とすることにより、弾性変形部と係止突部とを一体に形成することができるので、部品点数の削減を図ることができる。
請求項３の発明とすることにより、シリンダー錠装置の解錠、施錠操作を円滑に行える。
請求項４、５の発明とすることにより、保持手段を位置規制する部材を別途設けることなく、確実な位置決めができて構成の簡略化が図れるうえ、保持手段の組込み作業が容易にできる。
【発明を実施するための最良の形態】
【０００７】
つぎに、本発明の実施の形態について、図面に基づいて説明する。
図面において、１はバランス式（手動式）の建築用シャッター装置を構成するシャッターカーテンであって、該シャッターカーテン１は、左右方向に長いスラット１ａの複数枚を上下方向に連結して構成されている。前記シャッターカーテンの上端部は、躯体開口部の上方に配されたシャッターケース２に内装される巻取りドラム３に連結されるが、巻取りドラム３にはバランス弾機３ａが内装されており、該バランス弾機３ａの付勢力は、シャッターカーテン１の巻取りドラム３から繰出される自重にバランスされるように設定されている。
そして、シャッターカーテン１は左右両縁部が開口部の左右両側に配されたガイドレール４のガイド溝４ａに嵌合され、該ガイドレール４の移動案内を受ける状態で上下方向に移動するように構成されており、シャッターカーテン１は、下方に引下げる閉鎖操作を行うことにより巻取りドラム３から巻出され、バランス弾機３ａに付勢力を付勢しつつ開口部を閉鎖する閉鎖姿勢となり、上方へ引上げる開放操作を行うことによりバランス弾機３ａの付勢力を受ける状態で上動して巻取りドラム３に巻取られて開口部を開放する開放姿勢となるよう開閉移動するように構成されており、これらは何れも従来通りの構成となっている。
【０００８】
前記シャッターカーテン１の屋内側の側面には、人が操作しやすい高さに位置するスラット１ａに、シャッターカーテン１を施錠−解錠するための施錠装置５が設けられており、シャッターカーテン１は、閉鎖姿勢においてガイドレール４のガイド溝４ａ（躯体）側に施錠されるように構成されている。
前記施錠装置５は、ラッチ錠を構成するラッチ錠作動部Ｒをシリンダー錠装置Ｓにより施錠、解錠できるように構成されたものになっており、屋内外方向に薄型で屋外側が開口するボックス形状に形成され、ラッチ錠作動部Ｒが収容されるケーシング６と、該ケーシング６に形成された屋外側の開口部を覆蓋するように設けられ、シリンダー錠装置Ｓが収容されるプレート部７とを備えて構成されている。
【０００９】
前記ケーシング６の屋内側に偏寄する底片６ａの左右方向中央部位には、該底片６ａを貫通する状態で回転体８が回転自在に枢支されており、該回転体８の軸芯部には、ケーシング６の開口側（屋外側）に突出し、径方向に対向する一対の突片８ａが形成されている。さらに、前記回転体８は、ケーシング６内となる屋外側部位に回転プレート８ｂが連結されているが、該回転プレート８ｂはケーシング６の底片６ａに近接対向状に配設されるとともに、回転体突片８ａに係止状に配設されており、回転体８とともに一体回転するように構成されている。そして、前記回転プレート８ｂ外周縁部の屋外側面（ケーシング６の開口側の面）には、径方向に対向する部位に位置して一対の平板状の作動アーム９、１０の基端部が積層され、回転プレート８ｂに突出形成された連結突起８ｃ、８ｄを介してそれぞれ揺動自在に枢支されている。
【００１０】
１１、１２は、図４（Ａ）において、回転体８の左右に位置し、ケーシング６の上側片６ｂと下側片６ｃとのあいだに挟まれて上下方向の移動が規制され、かつ、底片６ａに対して摺動自在に配された左右一対のスライド体であって、これらスライド体１１、１２は、左右方向内方端部（互いに近接する側の端部）が、前記左右の作動アーム９、１０の先端部に対し、各作動アーム９、１０に突出形成された連結突起９ａ、１０ａを介してそれぞれ揺動自在に枢支されている。そして、作動アーム９、１０の後述する変位に伴い、ケーシング６の上下側片６ｂ、６ｃに案内され、ケーシング底片６ａに対して左右方向にスライド移動するように設定されている。
また、これらスライド体１１、１２の左右方向外端部には、それぞれ左右方向長尺状の一対のリンク体１３、１４の左右方向内端部が連結されており、これらリンク体１３、１４の左右方向外端部に、作動片１３ａ、１４ａが設けられ、該作動片１３ａ、１４ａの先端部が、左右一対のガイドレール４のガイド溝４ａ内に没入するように配設されている。
【００１１】
このように構成されたラッチ錠作動部Ｒは、回転体８が予め設定される正逆何れかの方向に１８０度回転する解錠位置、施錠位置に位置することに伴い、左右の作動アーム９、１０は、基端部が上下に隣接して位置する解錠位置（図４（Ａ）の一点鎖線）と左右に隣接して位置する施錠位置（図４（Ａ）の実線）とに変位するように設定されており、これによって、作動アーム９、１０にそれぞれ連結するスライド体１１、１２そしてリンク体１３、１４同士が、互いに近接する解錠位置と、互いに離間する施錠位置とにスライド変位するように構成されている。
そして、前記スライド体１１、１２、リンク体１３、１４同士が互いに近接する解錠位置に位置する状態では、リンク体１３、１４の左右方向外端部の作動片１３ａ、１４ａの先端部がガイド溝４ａに設けた錠受け体４ｂに干渉することがなく、シャッターカーテン１を解錠状態として自由に開閉作動ができるように設定されている。これに対し、スライド体１１、１２、リンク体１３、１４同士が互いに離間する施錠位置に位置する状態では、リンク体１３、１４の左右方向外端部の作動片１３ａ、１４ａがガイド溝４ａの錠受け体４ｂに係止して、シャッターカーテン１を施錠状態として開放作動を規制するように構成されている。
【００１２】
このように構成されたラッチ錠作動部Ｒの回転体８は、ケーシング底片６ａから屋内側に貫通する部位に操作摘み８ｅが一体的に設けられており、屋内側において操作摘み８ｅを回転操作することによりラッチ錠作動部Ｒを施錠、解錠操作することができるように構成されている。
一方、ケーシング底片６ａの屋内側の一対の突片８ａの対向間には凹溝部８ｆが形成され、該凹溝部８ｆに、アタッチメント８ｇが屋外側に向けて付勢する付勢弾機８ｈとともに収容されている。そして、アタッチメント８ｇは、付勢弾機８ｈに抗して凹溝部８ｆに嵌合係止することにより回転体８に対して回り止めされており、該アタッチメント８ｇが、後述するシリンダー錠装置Ｓの鍵（ディンプルキー）１５による施錠、解錠操作に伴い回転操作されることにより、回転体８を一体回転せしめ、ラッチ錠作動部Ｒを施錠、解錠操作するように構成されている。
【００１３】
さて、前記プレート部７には、左右方向中央部であり、ケーシング６に枢支される回転体８に対向する部位に位置して円形状の貫通孔７ａが開設され、該貫通孔７ａにシリンダー錠装置Ｓが設けられている。前記シリンダー錠Ｓは防犯性に優れたディンプル式に構成され、回転筒１６とプレート部７に固定される固定筒１７とを備えて構成されている。
前記回転筒１６は、軸芯部に位置し、屋外側に鍵１５の挿抜口が形成された長四角形状の鍵孔１６ａが形成されており、屋内側の筒端面の軸芯部には、前記回転体８のアタッチメント８ｇに押圧状に突きあてられてアタッチメント８ｇに嵌合係止する突片１６ｂが、周回り方向四分割状となって屋内側に向けて突出形成されている。さらに、回転筒１６の屋内側筒端面の外周縁部には、外径側に突出する鍔部１６ｃが形成されており、該鍔部１６ｃの径方向に対向する二箇所であって、鍵孔１６ａの長手方向に直交する方向の二箇所には、半円形状に切欠かれた係止凹部１６ｄが形成されている。さらに、回転筒１６には、ロックピンを構成するタンブラーピン１８とドライバーピン１９とが径方向移動自在になる状態で内装される複数のロックピン収容室１６ｅが貫通状に形成されている。
【００１４】
一方、前記固定筒１７は、軸芯部に回転筒１６が相対回転自在に内嵌する筒孔１７ａが形成された真円状の筒枠部１７ｂと、該筒枠部１７ｂの外周面部から上下方向に延出する上下本体部１７ｃと、筒枠部１７ｂの外周面部から左右方向に延出する左右本体部１７ｄと、筒枠部１７ｂおよび上下、左右本体部１７ｃ、１７ｄの各屋内側端部から外径方向に延出する円板状のフランジ部１７ｅとを備えて構成されている。そして、固定筒１７はプレート部７の屋外側面に対向させ、フランジ部１７ｅに形成された突起１７ｈをプレート部７に形成されたカシメ孔７ｇに嵌入して突起１７ｈをカシメることにより、プレート部７に一体化されている。ここで、プレート部貫通孔７ａの孔径は、固定筒１７の筒孔１７ａの孔径よりも大径な回転筒１６の鍔部１６ｃの外径よりも大径であるが、筒枠部１７ｂのフランジ部１７ｅの外径よりも小径に設定されている。
そして、固定筒１７は、上下、左右本体部１７ｃ、１７ｄにロックピンを構成するドライバーピン１９とロックピンを内径側に付勢する付勢弾機２０とが径方向移動自在に収容される複数のロックピン収容室１７ｆが、前記回転筒１６に形成されるロックピン収容室１６ｅに対応して貫通状に形成されている。このとき、プレート部７は、上下縁部が上下本体部１７ｃの上下方向外端面に沿って屋外側に折曲されて一対の上下覆蓋片部７ｂに形成されるとともに、貫通孔７ａ周縁部の左右部位が屋外側に向けて切起こされて一対の左右覆蓋片部７ｃに形成されており、これら上下覆蓋片部７ｂと左右覆蓋片部７ｃとが、上下、左右本体部１７ｃ、１７ｄのロックピン収容室１７ｆの外径側端面を覆蓋して、ロックピン収容室１７ｆに収容されるドライバーピン１９と付勢弾機２０とを位置規制（飛び出しを規制）するように構成されている。
【００１５】
ここで、回転筒１６と固定筒１７とのロックピン収容室１６ｅ、１７ｆとは、回転筒１６の鍵孔１６ａが上下方向を向き、係止凹部１６ｄが鍔部１６ｃの左右に位置する位置関係になることに伴い連通するように設定されており、この状態において、回転筒１６はアタッチメント８ｇを介して回転体８を解錠位置としてする解錠姿勢、あるいは、アタッチメント８ｇを介して回転体８を施錠位置とする施錠姿勢となるように構成されている。そして、シリンダー錠装置Ｓは、回転筒１６が解錠姿勢、施錠姿勢にあるときに鍵孔１６ａへの鍵１５の抜き差しが可能となり、鍵孔１６ａに挿し込まれた鍵１５を回転することにより回転筒１６が固定筒１７に対して相対回転させることができるように設定されており、回転筒１６が回転して突片１６ｂがラッチ錠作動部Ｒのアタッチメント８ｇを回転させることにより、シリンダー錠装置Ｓによるラッチ錠作動部Ｒの解錠、施錠操作がなされ、これによって、ラッチ錠が解錠状態、施錠状態となるように構成されている。
【００１６】
一方、プレート部７は、貫通孔７ａ孔縁から左右覆蓋片部７ｃが切起こされることにより、貫通孔７ａに連続して左右一対の開口７ｄが形成されており、該開口７ｄを介して固定筒１７の左右本体部１７ｄの屋内側端面が屋内側に露出する状態となっている。そして、固定筒１７の屋内側筒端面は、プレート部７の屋内側面と面一状となるように形成されており、筒孔１７ａに組込まれる回転筒１６の屋内側筒端面は、本実施の形態では、固定筒１７より僅かに屋内側に位置しており、回転筒１６の突片１６ｂは、プレート部７の屋内側面から屋内側に向けて突出するように形成されている。また、固定筒１７の屋内側端面の左右方向一方（本実施の形態では図５（Ｂ）において右側）であって、前記右側開口７ｄに対向する右本体部１７ｄ周辺部位には、屋外側に向けて凹部１７ｇが切欠き形成されている。前記凹部１７ｇは、筒軸（軸芯）方向は長さ（溝深さ）Ｔ、周回り方向（上下方向）は前記開口７ｄの周回り方向長さＬ１よりも長い長さ（溝幅）Ｌを存して形成されており、該凹部１７ｇの上下端部は、プレート部開口７ｄの上下の孔縁７ｅ、７ｆにより覆われるように構成されている。
【００１７】
そして、前記凹部１７ｇに本発明が実施された保持手段としての保持部材２１が設けられている。前記保持部材２１は、樹脂材を用いて貫通孔２１ａが形成され、径方向の弾性を備えた弾性変形部２１ｂを備えて構成されている。前記弾性変形部２１ｂは、本実施の形態では、上下方向に長いリング形状に形成されており、回転筒１６に対向する左側の外周部がフラット面部２１ｃに形成されている。前記弾性変形部２１ｂは、凹部の溝深さＴからプレート部７の板厚分を差し引いた長さ（厚さ）よりも短い（浅い）筒軸方向の長さＴ１を有し、凹部１７ｇの上下方向の長さＬと略同様の上下方向長さに形成されている。また、弾性変形部２１ｂのフラット面部２１ｃには屋内側に向けて延出して、回転筒１６の鍔部１６ｃに対向する延出片部２１ｄが形成されており、延出片部２１ｄにおける保持部材２１の屋内外方向長さ（軸芯方向長さ）は、凹部１７ｇの軸芯方向の長さＴと略同様になるように形成されている。そして、前記延出片部２１ｄとフラット面部２１ｂとの上下方向中間部に位置して、回転体１６側に向けて断面半円形状に膨出する係止突部２１ｅが形成されている。さらに、保持部材２１の貫通孔２１ａの孔形状は、フラット面部２１ｃ側の上下両端部において、本発明の弾性変形促進部として湾曲状の深溝部２１ｆが形成されており、係止突部２１ｅを、該係止突部２１ｅの突出方向の反対方向に押圧したとき、これら深溝部２１ｆにより弾性変形部２１ｂの弾性変形がし易くなるように形成されている。
そして、保持部材２１の係止突部２１ｅの先端面を基準とする左右方向長さＨ２は、回転筒１６が解錠、施錠姿勢以外の姿勢での鍔部１６ｃ外周からプレート部７の右覆蓋片部７ｃとの距離Ｈ１よりも長く、回転筒１６の解錠姿勢、施錠姿勢における係止凹部１６ｄの底部からプレート部７の右覆蓋片部７ｃとの距離Ｈと略同様か、少し長くなるように形成されている。
尚、保持部材２１は、係止突部２１ｅの上下方向中間部を基準とする中心線Ｍを基準として上下方向線対称状に形成されている。
【００１８】
これによって、保持部材２１を凹部１７ｇに収容したとき、保持部材２１は、凹部１７ｇに回り止めされる状態で嵌合されるように設けられるが、さらに、この組込み状態において、保持部材２１は、プレート部開口７ｄの周回り方向長さＬ１より長い上下方向長さＬに形成されているため、弾性変形部２１ｂの上下端部位がプレート部７の開口７ｄの上下の孔縁７ｅ、７ｆにより覆われて抜け止めされた状態となるように設定されている。そして、このように組込まれた保持部材２１は、回転筒１６が解錠姿勢、または、施錠姿勢になることに伴い、鍔部１６ｃに形成された係止凹部１６ｄに係止突部２１ｅが落ち込んで、回転筒１６を解錠姿勢、施錠姿勢に姿勢保持するように設定されている。このとき、回転筒１６が解錠姿勢から施錠姿勢、あるいは、施錠姿勢から解錠姿勢に変姿する場合に、係止凹部１６ｄに落ち込んだ係止突部２１ｅが、弾性変形部２１ｂを弾性変形させる状態で係止凹部１６ｄの円弧面に沿って回転筒鍔部１６ｃ外周面に乗り上げられ、姿勢変姿するように設定されている。
このとき、保持部材２１は、係止突部２１ｅの先端面を基準とする左右方向長さＨ２が、回転筒１６の解錠姿勢、施錠姿勢における係止凹部１６ｄの底部からプレート部７の右覆蓋片部７ｃとの距離Ｈと略同様か、少し長くなるように形成されていて、回転筒１６がどの姿勢にあっても係止突部２１ｅが鍔部１６ｃの外周面に確実に摺接する状態となっているため、回転筒１６の解錠姿勢、施錠姿勢への変姿に伴う係止突部２１ｅの係止凹部１６ｄへの落ち込み作動が確実になるように配慮されている。
尚、保持部材２１は、前述したように、中心線Ｍを基準として上下方向線対称状に形成されているので、回転筒１６、鍵１５の回転方向が逆方向に設定されているとしても、保持部材２１をそのまま採用することが可能である。
【００１９】
因みに、シリンダー錠装置Ｓは、予めプレート部７に固定筒１７を固定し、図示しない治具を用いて、固定筒１７のロックピン収容室１７ｆにそれぞれドライバーピン１９と付勢弾機２０とを収容した後、固定筒１７の筒孔１７ａに、ロックピン収容室１６ｅに予めタンブラーピン１８を収容した回転筒１６を、固定筒１７の屋内側から組込むことにより構成されるが、保持部材２１は、回転筒１６を固定筒１７の筒孔１７ａに組込む前の段階で、固定筒１７のプレート部７側に形成された凹部１７ｇに組込むようにすることで、簡単に組込むことができるようになっている。そして、このようにシリンダー錠装置Ｓが組込まれたプレート部７を、回転体８、作動アーム９、１０、スライド体１１、１２、リンク体１３、１４により構成されるラッチ錠作動部Ｒが組込まれたケーシング６に対してカシメ固定することにより施錠装置５が構成されるが、このとき、回転体８に組込まれたアタッチメント８ｇと、回転筒１６の突片１６ｂとは、アタッチメント８ｇに設けられた付勢弾機８ｈの付勢力を受けて係合が確実になるような組込み状態となっている。尚、図２に施錠装置７のスラット１ａへの組込み状態を説明する分解図を示すが、スラット１ａの屋外側面に回転筒１６の屋外側端面が露出状に設けられ、スラット１ａの屋内側から宛てがわれる施錠装置５は、回転筒１６屋外側端面の外周を覆うカバー２２とともに螺子２２ａによりスラット１ａに固定されるように構成されている。
【００２０】
叙述の如く構成された本形態において、施錠装置５に組込まれたシリンダー錠装置Ｓは、ディンプルキー１５により施錠−解錠がなされるディンプル式となっており、複製が困難で、しかも、ピッキングによる不正解錠がされ難い施錠装置とすることができるが、このものでは、回転筒１６が、回転体８を解錠位置、施錠位置にする解錠姿勢と施錠姿勢に変姿することに伴い、保持手段である保持部材２１により回転筒１６の固定筒１７に対する姿勢保持がなされ、固定筒１７に対して回転筒１６が僅かに回転するような不具合がなく、回転筒１６の鍵孔１６ａに対し鍵１５を円滑に抜き差しすることができ、ロックピンや鍵１５の保護を図ることができる。この場合に、前記保持部材２１は、固定筒１７の屋内側端部に形成された凹部１７ｇに設けられており、回転筒１６と固定筒１７とに径方向複数の方向にロックピンを収容するディンプル式とするものでありながら、従来の固定筒の筒長方向中間部に保持手段を設けるもののように、保持手段の配設スペースを確保するため回転筒と固定筒との筒軸方向の長さを長くする必要がなく、施錠装置５（シリンダー錠装置Ｓ）のコンパクト化を図ることができる。
【００２１】
このように、本発明は、ディンプル式のシリンダー錠装置Ｓでありながら、回転筒１６の解錠姿勢、施錠姿勢が姿勢保持されて、鍵１５の抜き差し操作が円滑にできるものであるが、保持手段は樹脂材で形成され、弾性変形部２１ｂと係止突部２１ｅとが一体に形成された保持部材２１を用いる構成であるので、部品点数の削減を図ることができる。
【００２２】
その上、このものでは、保持部材２１の弾性変形部２１ｂに深溝部２１ｆが形成されていて、回転筒１６が解錠、施錠姿勢から回転操作する場合に、弾性変形部２１ｂの弾性変形が円滑にできて、鍵１５の解錠、施錠操作を円滑に行うことができる。
【００２３】
そのうえ、固定筒１７の屋内側端部に形成した凹部１７ｇに対し回り止め状に収容され、しかも、プレート部７の開口７ｄの孔縁７ｅ、７ｆにより抜け止めされる構成としたので、保持部材２１を位置規制する部材を別途設けることなく、確実な位置決めを行うことができて構成の簡略化が図れるうえ、保持部材２１の組込み作業が容易となる。
【図面の簡単な説明】
【００２４】
【図１】建築用シヤッター装置を内観視し、一部を切欠いた正面図である。
【図２】施錠装置の分解底面図である。
【図３】図３（Ａ）、（Ｂ）はそれぞれ施錠装置の正面図、背面図である。
【図４】図４（Ａ）、（Ｂ）はそれぞれラッチ錠作動部を説明する背面図、図４（Ａ）のＸ−Ｘ断面図である。
【図５】図５（Ａ）、（Ｂ）、（Ｃ）はそれぞれシリンダー錠装置を説明する背面図、図５（Ａ）のＸ−Ｘ断面図、正面図である。
【図６】図６（Ａ）、（Ｂ）、（Ｃ）、（Ｄ）はそれぞれ保持部材の平面図、正面図、底面図、側面図である。
【図７】図７（Ａ）、（Ｂ）はそれぞれ施錠装置の一部を切欠いた縦断面図、横断面図である。
【符号の説明】
【００２５】
１    シャッターカーテン
５    施錠装置
６    ケーシング
７    プレート部
７ｄ    開口
８    回転体
８ｅ    操作摘み
８ｇ    アタッチメント
１５    鍵
１６    回転筒
１６ｃ    鍔部
１６ｄ    係止凹部
１７    固定筒
１７ｇ    凹部
２１    保持部材
２１ｂ    弾性変形部
２１ｅ    係止突部
Ｓ    シリンダー錠装置
【図１】
2009203722.tif 000003
【図２】
2009203722.tif 000004
【図３】
2009203722.tif 000005
【図４】
2009203722.tif 000006
【図５】
2009203722.tif 000007
【図６】
2009203722.tif 000008
【図７】
2009203722.tif 000009